(57)【要約】【課題】  防水性に優れ、外観体裁がよく、電子回路基板の収納ケースに対する取り付け作業を容易にした盗難防止装置における電子キー用受信機を得ることにある。【解決手段】  収納ケース４１は、キーシリンダ４４のキー差込穴４４ａのある端部に装着され、キー差込穴４４ａに差し込まれたキーからの送信データを受信するコイル４５が埋設された取付環状部４１−１と、取付環状部４１−１から該取付環状部に対して交差する方向に延設され、前記コイル４５からの送信データを処理する電子回路基板４２を収納するとともに、前記キーシリンダ４４の円周面の一部を覆うように延設され、前記キーシリンダ４４に近接して開口するケース部４１−２とを備えたものである。【選択図】        図２
2006052635.tif 000002
【特許請求の範囲】
【請求項１】
樹脂製の収納ケースを有する盗難防止装置における電子キー用受信機において、前記収納ケースは、
キーシリンダの前面を覆うキーシリンダの終端部に装着可能であって、電子符号錠からの送信データを受信するコイルが埋設された取付環状部と、
前記取付環状部から該取付環状部に対して交差する方向に延設され、前記コイルからの送信データを処理する回路基板を収納するとともに、前記キーシリンダの円周面の一部を覆うように延設され、前記キーシリンダに近接して開口するケース部とを
備えた盗難防止装置における電子キー用受信機。
【請求項２】
前記取付環状部は前記キーシリンダ内へのキーの収入面に平行に配置されると共に前記キーシリンダに対して半径方向に延設され、前記コイルからの送信データを処理する回路基板を収納する前記ケース部はキー挿入方向に延びていることを特徴とする請求項１記載の盗難防止装置における電子キー用受信機。
【請求項３】
前記取付環状部は前記キーシリンダのキー挿入面の外側に配置されていることを特徴とする請求項１記載の盗難防止装置における電子キー用受信機。
【請求項４】
前記ケース部に収納された電子回路基板は、前記ケース部の前記取付環状部への取付側で前記コイルに接続され、前記ケース部の対向する側から出力用ハーネスが引き出されることを特徴とする請求項１記載の盗難防止装置における電子キー用受信機。
【請求項５】
前記ケース部は、その内部に格納された前記電子回路基板がモールド剤によって水密的に封止されていることを特徴とする請求項１記載の盗難防止装置における電子キー用受信機。
【発明の詳細な説明】
【技術分野】
【０００１】
この発明は、例えば自動二輪車に盗難防止装置として取り付けられる電子符号錠の制御回路等に適応される盗難防止装置における電子キー用受信機に関するものである。
【背景技術】
【０００２】
図８および図９は、自動二輪車において、従来から用いられているキーシリンダ部の平面図である。図８において、３１はキーシリンダ部、３２はハンドル軸３３とタイヤのシャフトを左右両側から支持する支持体３４とを連結するトップブリッジ、４４ａはキー差込孔で、キー４９をキーシリンダ部３１のキー差込孔４４ａから抜き取ることによってキーシリンダ部３１によってエンジンが停止され、かつステアリングがロックされて盗難が防止される。
【０００３】
近年、電子制御された機器が様々な分野において普及しており、セキュリティ性の向上などの要望から電子制御された盗難防止装置における電子キー用受信機を搭載した自動二輪車が求められている。この場合、キーシリンダに挿脱されるキーからのデータを処理する電子回路基板の支持構造として高い防水性が必要とされ、取付容易であり、低コストなものが要求される。一方、従来の盗難防止装置における電子キー用受信機内の電子回路基板支持構造としては、電子回路基板の収納ケースに設けられた支持部と電子回路基板をねじ止め固定することが一般的であった。
【発明の開示】
【発明が解決しようとする課題】
【０００４】
従来の盗難防止装置における電子キー用受信機内の電子回路基板支持構造は以上のように構成されているので、自動二輪車などに適応する電子回路基板支持構造は防水性に優れた構造でなければならず、また一般的なねじ止め固定では取付位置精度が必要なことから取り付け作業性の上で問題があり、さらに支持部品点数が多いことからコスト的に不利であるという課題があった。
【０００５】
この発明は、上記のような課題を解決するためになされたもで、防水性を高めるために収納ケースを樹脂モールドし、外観体裁がよく、さらに電子回路基板の支持を該電子回路基板に設けた孔に対する収納ケース側の柱体の圧入によって行うことで取り付け作業を容易にすることができる盗難防止装置における電子キー用受信機を得ることを目的とする。
【課題を解決するための手段】
【０００６】
この発明の盗難防止装置における電子キー用受信機の収納ケースは、キーシリンダのキー差込穴のある端部に装着され、キー差込穴に差し込まれたキーからの送信データを受信するコイルが埋設された取付環状部と、取付環状部から該取付環状部に対して交差する方向に延設され、前記コイルからの送信データを処理する回路基板を収納するとともに、前記キーシリンダの円周面の一部を覆うように延設され、前記キーシリンダに近接して開口するケース部とを備えたものである。
【０００７】
この発明の盗難防止装置における電子キー用受信機の取付環状部は、キーシリンダ内へのキーの差込面に平行に配置されると共にキーシリンダに対して半径方向に延設され、コイルからの送信データを処理する回路基板を収納するケース部はキー挿入方向に延びているものである。
【０００８】
この発明の盗難防止装置における電子キー用受信機の取付環状部は、キーシリンダのキー差込面の外側に配置されているものである。
【０００９】
この発明の盗難防止装置における電子キー用受信機のケース部に収納された電子回路基板は、ケース部の取付環状部への取付側でコイルに接続され、ケース部の対向する側から出力用ハーネスが引き出されているものである。
【００１０】
この発明の盗難防止装置における電子キー用受信機のケース部は、その内部に格納された電子回路基板がモールド剤によって水密的に封止されているものである。
【発明の効果】
【００１１】
以上のように、この発明によれば、収納ケースは、キーシリンダのキー差込穴のある端部に装着され、キー差込穴に差し込まれたキーからの送信データを受信するコイルが埋設された取付環状部と、取付環状部から該取付環状部に対して交差する方向に延設されて前記キーシリンダの円周面の一部を覆い、前記コイルからの送信データを処理する回路基板を収納するとともに、前記キーシリンダに近接して開口するケース部とを備えた構成であるので、キーシリンダに対するキーの挿脱操作を適切に行うことができる。
【００１２】
また、ケース部がキーシリンダの陰になる位置に配置されているので、雨天走行時におけるケース部への浸水をキーシリンダが壁になって阻止することができるとともにケース部に格納された電子回路基板が保護されるように構成されている。
【００１３】
この発明によれば、取付環状部は、キーシリンダ内へのキーの差込面に平行に配置されると共にキーシリンダに対して半径方向に延設され、コイルからの送信データを処理する回路基板を収納するケース部はキー挿入方向に延びた構成であるので、キーシリンダに対するキーの挿脱操作を適切に行うことができる。
【００１４】
この発明によれば、取付環状部は、キーシリンダのキー差込面の外側に配置された構成であるので、コイルとキーとの電気的接続がよくなり、コイルとキー間の電流の流れもよくなる。
【００１５】
この発明によれば、ケース部に収納された電子回路基板は、ケース部の取付環状部への取付側でコイルに接続され、ケース部の対向する側から出力用ハーネスが引き出された構成であるので、出力用ハーネスは見えない位置に位置するため、外観体裁がよい。
【００１６】
この発明によれば、ケース部は、その内部に格納された電子回路基板がモールド剤によって水密的に封止された構成であるので、電子回路基板の防水が確実に得られる。
【発明を実施するための最良の形態】
【００１７】
以下、この発明の実施の一形態を説明する。
実施の形態１．
図１および図２は、実施の形態１による電子回路基板支持構造を、自動二輪車における盗難防止装置における電子キー用受信機に適用したもので、図１は盗難防止装置が取り付けられた自動二輪車のキーシリンダ部の平面図であり、図２は図１のＡ’−Ａ ’線に沿った断面図である。
【００１８】
まず、概要について説明する。図１において、３１はキーシリンダ部、３２はハンドル軸３３とタイヤのシャフトを左右両側から支持する支持体３４とを連結するトップブリッジ、３５は収納ケース４１の内部にある盗難防止装置の車両側ＩＤコード送受信部、４４ａはキー差込孔である。
【００１９】
図２において、４１は上記車両側ＩＤコード送受信部３５の電子回路基板４２を収納する樹脂製収納ケースであり、電子回路基板４２はケース部４１−２内に樹脂との接着力に優れたウレタン樹脂（モールド剤）４３によって水密的に封止されてなり、キーシリンダ４４のキー差込孔４４ａのある端部に、取り付けられる取付環状部４１−１と、この取付環状部４１−１に対して直角方向、即ちキーシリンダ４４の円周面に平行方向に延び、且つその円周面の一部を覆うケース部４１−２とでＬ字状に形成されている。４５は収納ケース４１の取付環状部４１−１に埋設されたリング状コイルであり、リード線４６等によって電子回路基板４２の端子４７に接続されている。また、電子回路基板４２上の電子回路はハーネス４８を介して不図示の制御回路に接続されている。
【００２０】
次に動作について説明する。
キーシリンダ４４のキー差込孔４４ａにキー４９を差し込んで、キー４９を操作すると、車両側ＩＤコード送受信部３５が作動してコイル４５に電流を流す。この通電によりコイル４５から生じる磁界がキー４９に内蔵されたキー側ＩＤコード送受信部５０のコイル５１に作用して電力を誘起し、この電力でキー側ＩＤコード送受信部５０からＩＤコードを送信する。このＩＤコードを受信した車両側ＩＤコード送受信部３５はＩＤコードの照合を行い、一致している場合には、ハーネス４８を介してエンジン始動許可信号等を不図示の制御回路に供給するものである。
【００２１】
次に電子回路基板４２のケース部４１−２への支持構造について詳細に説明する。
図２は、実施の形態１による電子回路基板支持構造の断面図、図３は図２のＡ−Ａ線に沿った拡大縦断面図、図４は図３のＢ−Ｂ線に沿った拡大横断面図、図５は図４のＣ−Ｃ線に沿った横断面図である。図において、１は電子回路基板４２を小径柱体２に圧入するための孔、３は収納ケース４１の底面に立設された柱体であり、この柱体３の上面には、同一軸、同一方向に小径柱体２が一体成形され、延設されている。また、この小径柱体２の周面長手方向に沿って電子回路基板４２の孔１が圧入嵌合される複数の凸状５が放射状に設けられている。この凸状５の圧入側先端部は圧入をガイドするための曲面であるガイド面５ａを設けてある。
【００２２】
電子回路基板４２の固定は、電子回路基板４２の孔１を小径柱体２に圧入することによって行われ、二点破線で示した電子回路基板４２の所定の取り付け位置に支持される。この時、小径柱体２の周面に複数の凸状５を設けたことにより、電子回路基板４２と小径柱体２との接触面積が小さくなるので、圧入時における電子回路基板４２と小径柱体２との摩擦が軽減され、圧入を容易に行うことができる。また凸状５の圧入側先端部に曲面をもたせてガイド面５ａとしたことにより、被圧入部である小径柱体２が電子回路基板４２の孔１へ挿通され易くなるので各部材どうしの位置が容易に決定され、さらに圧入初期の圧入側先端部にかかる摩擦が軽減されるので滑らかに基板の圧入を行うことができる。
【００２３】
以上のように、実施の形態１によれば、被圧入部である小径柱体２の周面長手方向に放射状に複数の凸状５を設け、この凸状５の圧入側先端部にガイド面５ａを設けたことにより、各部材どうしの位置決定および基板の圧入を容易に行うことができる。さらに電子回路基板が収納ケース内で樹脂モールドされるので、防水性に優れた電子回路基板の支持をすることができる。
【００２４】
実施の形態２．
図６は、実施の形態２による電子回路基板支持構造を図４の拡大横断面図で示したものであり、図７は図６のＤ−Ｄ線に沿った横断面図である。実施の形態１において説明した部分については同一符号を付して重複説明を省略する。図において、６は柱体３の上面に小径柱体２を囲むように設けた複数の凸部である。
【００２５】
実施の形態１による電子回路基板支持構造では、圧入時に発生する電子回路基板４２の切り屑が、柱体３の上面と電子回路基板４２との間に堆積し、電子回路基板４２の取り付け位置にずれが起こる可能性がある。実施の形態２においては、図のように隙間形成用突起６を設けたことで、圧入時に電子回路基板４２と柱体３との間に突起６によって隙間７ができる。この隙間７に圧入時に発生する切り屑が溜まっていくので、切り屑による取り付け位置のずれが起こることなく、電子回路基板４２は二点破線で示した所定の取り付け位置において支持することができる。
【００２６】
以上のように、実施の形態２によれば、柱体３の上面に小径柱体２を囲むように複数の凸部６を設けて隙間７を形成したことにより、電子回路基板４２の圧入時に生じた切り屑は隙間７に溜まり、切り屑による電子回路基板４２の取り付け位置ずれの発生を防止することができる。
【図面の簡単な説明】
【００２７】
【図１】自動二輪車の盗難防止装置が取り付けられたキーシリンダ部の平面図である。
【図２】実施の形態１による電子回路基板支持構造の断面図である。
【図３】図２におけるＡ−Ａ線に沿った拡大縦断面図である。
【図４】図３おけるＢ−Ｂ線に沿った拡大横断面図である。
【図５】図４におけるＣ−Ｃ線に沿った横断面図である。
【図６】実施の形態２による電子回路基板支持構造を図４の拡大横断面図で示したものである。
【図７】図６におけるＤ−Ｄ線に沿った横断面図である。
【図８】従来の自動二輪車におけるキーシリンダ部の平面図である。
【図９】図８におけるＡ’−Ａ’線に沿った縦断面図である。
【符号の説明】
【００２８】
１  孔
２  小径柱体
３  柱体
５  凸状
６  凸部
７  隙間
４１  収納ケース
４２  電子回路基板
【図１】
2006052635.tif 000003
【図２】
2006052635.tif 000004
【図３】
2006052635.tif 000005
【図４】
2006052635.tif 000006
【図５】
2006052635.tif 000007
【図６】
2006052635.tif 000008
【図７】
2006052635.tif 000009
【図８】
2006052635.tif 000010
【図９】
2006052635.tif 000011